(57)【要約】  少なくとも１枚の板状製品（２）、特にチョコレートバーを収容および分割するための充填済み容器（２４）は、少なくとも１つの弱化溝（４）を含む。上記板状製品は、上記弱化溝に沿って別個の個片に分離されるよう適合される。上記容器は長手方向軸を有する。上記容器は、閉じられた第１の位置から開かれた第２の位置にまで移動させることができる。上記容器は、容器蓋（３０）、および上記容器蓋に接続されて第１のリムを有する第１の側壁（３２）を含む上方部分（２６）と、容器底、および上記容器底に接続されて第２のリムを有する第２の側壁を含む対応する下方部分（２８）とを備える。上記容器はさらに、上記容器の内部に少なくとも１枚の板状製品を含む。上記１枚の板状製品は少なくとも１つの弱化溝、特に複数の弱化溝を有し、このため、上記容器蓋を上記容器の内部の方向に撓ませた時、および／または、上記容器底を上記容器の内部の方向に撓ませた時、少なくとも１枚の板状製品が、弱化溝のうち少なくとも１つ、特に本質的にすべてに沿って個片に分離される。本発明は、さらに、板状製品、特にチョコレートバーを収容し、弱化溝に沿って分割するための上記容器の使用と、板状製品、特にチョコレートバーを弱化溝に沿って分割するためのプロセスと、さらに、板状製品、特にチョコレートバーと、上記板状製品を含む積重ねとに言及する。
2015529177.tif 000002
【特許請求の範囲】
【請求項１】
少なくとも１つの弱化溝を含む１枚の板状製品、特にチョコレートバー、または、少なくとも１つが少なくとも１つの弱化溝を含む複数の板状製品、特に複数のチョコレートバーを収容および分割するための充填済み容器、特にボックスであって、前記複数の板状製品は積重ねて配置され、前記板状製品は、前記弱化溝に沿って別個の個片に分離されるよう適合され、
前記容器は長手方向軸を有し、
前記容器は、閉じられた第１の位置から開かれた第２の位置にまで移動させることができ、
前記容器は、
容器蓋と、前記容器蓋に接続されて第１のリムを有する第１の側壁とを備える上方部分と；
容器底と、前記容器底に接続されて第２のリムを有する第２の側壁とを備える対応する下方部分と；
前記容器の内部に、上面および反対側の底面を備え、特にその上面に、少なくとも１つの、特に真っすぐな弱化溝、特に複数の弱化溝を有する１枚の板状製品；
または、特に、
前記容器の内部に複数の板状製品と；を備え、前記複数の板状製品は各々、上面および反対側の底面を有し、積重ねて配置され、特にそれぞれの上面に、少なくとも１つの特に真っすぐな弱化溝、特に複数の弱化溝を備え、
前記１枚の板状製品の上面は容器蓋の方に向けられ、前記１枚の板状製品の底面は容器底の方に向けられ、
または、前記上方の板状製品の上面もしくは板状製品の積重ねのうちすべての板状製品の上面は、容器蓋の方に向けられ、
前記積重ねのうち最下層の板状製品の底面もしくは前記積重ねのうちすべての板状製品の底面が容器底の方に向けられ、前記容器はさらに、
任意には、前記積重ねのうち隣接する板状製品同士の間に少なくとも１つの第１の保護層、および／または、容器蓋と前記１枚の板状製品の上面との間もしくは容器蓋と前記積重ねの上方の板状製品の上面との間に少なくとも１つの第２の保護層、および／または、前記１枚の板状製品の底面と容器底との間もしくは前記積重ねにおける最下層の板状製品の底面と前記容器底との間に少なくとも１つの第３の保護層を備え、
前記１枚の板状製品または前記複数の板状製品は、前記弱化溝に沿って個片に分離可能であり、
容器の前記上方部分は、特に形状、厚さおよび／または材料に関して、容器が少なくとも１つの第１の動作区域おいて閉位置にあるときに、その容器蓋を、特に前記容器の長手方向軸に沿って、前記容器の内部の方向に、第１の最大撓みを含む少なくとも第１の撓み範囲にまで、特に可逆的に押すことができるような態様で、配置および適合され、ならびに／または、
容器の前記下方部分は、特に形状、厚さおよび／または材料に関して、容器が少なくとも１つの第２の動作区域において閉位置にあるときに、その容器底を、特に前記容器の長手方向軸に沿って、前記容器の内部の方向に、第２の最大撓みを含む少なくとも第２の撓み範囲にまで、特に可逆的に押すことができるような態様で、配置および適合され、
容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離は、特に、１枚の板状製品または板状製品の積重ねが前記容器底もしくは前記第３の保護層の上に載っている場合、前記第１の撓み範囲もしくは前記第１の最大撓みよりも小さく、ならびに／または、
容器底、特に容器の閉位置での前記第２の動作区域と１枚の板状製品の底面との間の距離、もしくは、容器底、特に容器の閉位置での前記第２の動作区域と前記積重ねのうち最下層の板状製品の底面との間の距離、もしくは、容器底、特に容器の閉位置での前記第２の動作区域と前記第３の保護層との間の距離は、特に、１枚の板状製品または板状製品の積重ねが前記容器蓋もしくは前記第２の保護層の上に載っている場合には、前記第２の撓み範囲または前記第２の最大撓みよりも小さく、ならびに／または、
容器底、特に容器の閉位置での前記第２の動作区域と１枚の板状製品の底面との間の距離、もしくは、容器底、特に容器の閉位置での前記第２の動作区域と前記積重ねのうち最下層の板状製品の底面との間の距離、もしくは、容器底、特に容器の閉位置での前記第２の動作区域と前記第３の保護層との間の距離と、容器蓋、特に容器の閉位置での前記第１の動作区域と１枚の板状製品の上面との間の距離、もしくは、容器蓋、特に容器の閉位置での前記第１の動作区域と前記積重ねのうち前記上方の板状製品の上面との間の距離、もしくは、容器蓋、特に容器の閉位置での前記第１の動作区域と前記第２の保護層との間の距離との合計は、前記第１および第２の撓み範囲の合計、もしくは前記第１および第２の最大撓みの合計よりも小さく、このため、前記容器蓋、特に前記第１の動作区域を、前記容器の内部の方向に、特にその長手方向軸に沿って撓ませたとき、および／または、前記容器底、特に前記第２の動作区域を、前記容器の内部の方向に、特にその長手方向軸に沿って撓ませたとき、少なくとも１つの板状製品、特にすべての板状製品は、弱化溝のうち少なくとも１つ、特に本質的にすべてに沿って個片に分離可能であるかまたは分離される、容器。
【請求項２】
前記容器の上方部分、特に前記容器蓋、および／または、前記容器の下方部分、特に前記容器底は、プラスチックおよび／もしくは金属、特にプラスチックシートおよび／もしくは金属シートを含むか、または、プラスチックおよび／もしくは金属、特にプラスチックシートおよび／もしくは金属シートでできている、請求項１に記載の容器。
【請求項３】
前記積重ねは、少なくとも２つ、３つ、４つ、５つ、６つまたは７つの、特に、食用の板状製品、特にチョコレートバーを含む、請求項１または２に記載の容器。
【請求項４】
少なくとも２つの板状製品、特にすべての板状製品は、長さおよび／または幅および／または直径および／または厚さの点で本質的に同一である、請求項１から３のいずれかに記載の容器。
【請求項５】
少なくとも２つの板状製品、特にすべての板状製品は、構成の断面形状および／または長さおよび／またはパターンに関して本質的に同一の弱化溝を呈する、請求項１から４のいずれかに記載の容器。
【請求項６】
板状製品は、本質的に多角形、たとえば長方形もしくは正方形の基本形状、または円形もしくは楕円形の基本形状を呈する、請求項１から５のいずれかに記載の容器。
【請求項７】
板状製品の少なくとも２つの弱化溝、特にすべての弱化溝が、特に板状製品の基本形状の中心において少なくとも１つの交差区域を有するか、または、板状製品のすべての弱化溝が、基本形状の１つの交差区域、特に中心の交差区域において互いに交差する、請求項１から６のいずれかに記載の容器。
【請求項８】
前記第１の側壁および／もしくは前記第１のリムは第１の保持手段を含むかもしくは表わし、ならびに／または、前記第２の側壁および／もしくは前記第２のリムは第２の保持手段を含むかもしくは表わす、請求項１から７のいずれかに記載の容器。
【請求項９】
容器の上方部分は、前記第１の位置で容器を閉じ、前記第２の位置で前記容器をブロック解除し、前記第１の位置においては、前記第１の側壁および／もしくは前記第１のリムおよび／もしくは前記第１の保持手段が、容器の前記下方部分とで、特に前記第２の側壁および／もしくは前記第２のリムおよび／もしくは前記第２の保持手段とで、形状拘束を呈し、
容器の前記上方部分は、前記容器の内部の方向への、特にその長手方向軸に沿った特に前記第１の動作区域の第１の撓み時に、前記第１の位置から前記第２の位置に移動させることができ、これにより、前記形状拘束が特に可逆的に解放され、ならびに／または、
容器の下方部分は、第１の位置で前記容器を閉じ、前記第２の位置で前記容器をブロック解除し、前記第１の位置において、前記第２の側壁および／もしくは前記第２のリムおよび／もしくは前記第２の保持手段は、容器の前記上方部分とで、特にその第１の側壁および／もしくは第１のリムおよび／もしくは前記第１の保持手段とで形状拘束を呈し、
容器の前記下方部分は、前記容器の内部の方向への、特にその長手方向軸に沿った特に前記第２の動作区域の第２の撓み時に、前記第１の位置から前記第２の位置へと移動させることができ、このため、形状拘束が特に可逆的に解放される、請求項１から８のいずれかに記載の容器。
【請求項１０】
前記第１の動作区域は、容器蓋の中心部分を表わすかもしくは含み、ならびに／または、前記第２の動作区域は、容器の底の中心部分を表わすかもしくは含む、請求項１から９のいずれかに記載の容器。
【請求項１１】
前記容器蓋、特に前記第１の動作区域を前記容器の内部の方向に、特にその長手方向軸に沿って、前記第１の撓み範囲にわたって、特に前記第１の最大撓みにまで撓ませたとき；または、
前記容器底、特に前記第２の動作区域を前記容器の内部の方向に、特にその長手方向軸に沿って、前記第２の撓み範囲にわたって、特に前記第２の最大撓みにまで撓ませたとき；または、
前記容器蓋、特に前記第１の動作区域を前記容器の内部の方向に、特にその長手方向軸に沿って、前記第１の撓み範囲にわたって、特に前記第１の最大撓みにまで撓ませたとき；および、
前記容器底、特に前記第２の動作区域を前記容器の内部の方向に、特にその長手方向軸に沿って、前記第２の撓み範囲にわたって、特に前記第２の最大撓みにまで撓ませたとき、
少なくとも１つの板状製品、特にすべての板状製品が、弱化溝のうち少なくとも１つ、特に本質的にすべてに沿って、個片に分離可能であるかまたは分離される、請求項１から１０のいずれかに記載の容器。
【請求項１２】
前記第１の動作区域は、１つ、いくつかもしくはすべての板状製品の弱化溝が互いに交差している区域と少なくとも部分的な重なりを有し、および／または、前記第２の動作区域は、１つ、いくつかもしくはすべての板状製品の弱化溝が互いに交差している区域と少なくとも部分的な重なりを有する、請求項１から１１のいずれかに記載の容器。
【請求項１３】
弱化溝が互いに交差している区域が、板状製品の基本形状の中心と少なくとも部分的な重なり有する、請求項１２に記載の容器。
【請求項１４】
特に基本形状の中心区域に位置する場合、積重ねにおける隣接する板状製品、特にすべての板状製品、の弱化溝の交差する区域が本質的に部分的に重なった態様で配置される、請求項７から１３のいずれかに記載の容器。
【請求項１５】
積重ねにおける隣接する板状製品、特にすべての板状製品、の少なくとも１つの弱化溝、特にすべての弱化溝が本質的に部分的に重なった態様で配置される、請求項１から１４のいずれかに記載の容器。
【請求項１６】
前記容器の基本形状と、板状製品、特に板状製品の前記積重ね、の基本形状が、本質的に同一である、請求項１から１５のいずれかに記載の容器。
【請求項１７】
前記板状製品の基本形状の大きさ、特に板状製品の積重ねの大きさが、特に、容器の基本形状の大きさよりもわずかに小さい、請求項１６に記載の容器。
【請求項１８】
板状製品の前記分離可能な個片が、三角形の基本形状または円弧の形状を呈する、請求項１から１７のいずれかに記載の容器。
【請求項１９】
第１の保護層および／もしくは第３の保護層が１枚の紙を表わすかもしくは含むこと、ならびに／または、前記第２の保護層および／もしくは前記第３の保護層、特に前記第２保護層だけが、詰物層または緩衝材層、特に紙が詰込まれた層を表わすかもしくは含む、請求項１から１８のいずれかに記載の容器。
【請求項２０】
前記第１の側壁に圧力を加えたとき、前記第１のリムおよび／もしくはその反対側にある前記第１の保持手段、前記第１の側壁および／もしくは前記第１のリムおよび／もしくは前記第１の保持手段によって、容器の下方部分とで、特にその第２の側壁および／もしくはその第２のリムおよび／もしくはその第２の保持手段とで形状拘束が得られ、これにより、容器が、開かれた第２の位置から閉じられた第１の位置へと移される、請求項９から１９のいずれかに記載の容器。
【請求項２１】
容器の基本形状の大きさおよび１枚の板状製品または板状製品の積重ねの基本形状の大きさにより隙間が設けられ、これにより、特に容器蓋の上方部分および／または特に容器底の下方部分を撓ませたときに、それらの弱化溝に沿って分割させた個片を側方に移動させることが可能となる、請求項１から２０のいずれかに記載の容器。
【請求項２２】
前記弱化溝のフランクが傾斜され、平均で５°〜６０°の範囲、特に２５°〜４５°の範囲、より特定的には３０°〜４０°の範囲の角度を形成し、ならびに／または、弱化溝の最大幅が平均で３ミリメートル（ｍｍ）〜９ｍｍの範囲、特に４ｍｍ〜８ｍｍの範囲、より好ましくは６ｍｍ〜７ｍｍの範囲であり、ならびに／または、弱化溝の深さが平均で２ｍｍ〜６ｍｍの範囲、特に２．５ｍｍ〜５ｍｍの範囲、より好ましくは３ｍｍ〜４ｍｍの範囲であり、ならびに／または、板状製品の厚さが平均で８ｍｍ〜２０ｍｍの範囲、特に８ｍｍ〜１４ｍｍの範囲、より好ましくは１０．５〜１２ｍｍの範囲であり、ならびに／または、円形の板状製品の直径が５０ｍｍ〜１５０ｍｍの範囲、特に６０ｍｍ〜１２０ｍｍの範囲、より好ましくは７０ｍｍ〜１００ｍｍの範囲であり、ならびに／または、弱化溝の深さが、平均で、板状製品の厚さの１０％から６０％、特に２０％から５０％、より好ましくは２５〜４５％である、請求項１から２１のいずれかに記載の容器。
【請求項２３】
ｃｌｉｃ−ｃｌａｃ型ボックスを含むかまたは表す、請求項１から２２のいずれかに記載の容器。
【請求項２４】
弱化溝を含む１枚の板状製品または複数の板状製品、特にチョコレートバーを個片に分割するための、請求項１から２３のいずれかに記載の、特に請求項９から２３のいずれかに記載の容器の使用であって、前記板状製品は前記分割プロセス中に前記容器に保持される、使用。
【請求項２５】
弱化溝を含む１枚の板状製品または複数の板状製品、特にチョコレートバー、を個片に分割するためのｃｌｉｃ−ｃｌａｃ型ボックスの、特に請求項２４に記載の使用であって、前記板状製品は前記分割プロセス中に前記ｃｌｉｃ−ｃｌａｃ型ボックスに保持される、使用。
【請求項２６】
前記容器またはボックスは、複数の板状製品、特に複数のチョコレートバーを含み、少なくとも１つの板状製品は少なくとも１つの弱化溝、特に少なくとも２つの弱化溝を含み、前記複数の板状製品は積重ねて配置される、請求項２４または２５に記載の使用。
【請求項２７】
１つ以上の板状製品、特にチョコレートバー、を記板状製品における弱化溝に沿って個片に分割するためのプロセスであって、
請求項１から２３のいずれかに記載の容器、たとえばｃｌｉｃ−ｃｌａｃ型ボックスを設けるステップと、
少なくとも１つの弱化溝、特に少なくとも２つの弱化溝を含む１枚の板状製品、特にチョコレートバー、または、少なくとも１つが少なくとも１つの弱化溝、特に少なくとも２つの弱化溝を含む複数の板状製品、特に複数のチョコレートバー、を配置するステップとを含み、前記複数の板状製品は前記容器またはボックスにおいて積重ねて配置され、前記プロセスはさらに、
特に第１の動作区域における前記容器もしくはボックスの上方部分、特に蓋、ならびに／または、特に前記第２の動作区域における前記容器もしくはボックスの下方部分、特に容器底を、容器もしくはボックスの前記上方部分、特に容器蓋が特にその長手方向軸に沿って前記容器の内部の方向に撓まされるような態様で、ならびに／または、前記容器もしくはボックスの下方部分、特に前記容器もしくはボックスの容器底がその長手方向軸に沿って前記容器もしくはボックスの内部の方向に撓まされるような態様で、撓ませることにより、板状製品を前記弱化溝に沿って個片に分割するステップを含む、プロセス。
【請求項２８】
板状製品が提供され、前記板状製品においては、前記板状製品の少なくとも２つの弱化溝、特にすべての弱化溝が特に板状製品の基本形状の中心において少なくとも１つの交差区域を有するか、または、板状製品のすべての弱化溝が基本形状の１つの、特に中心の交差区域において互いに交差している、請求項２７に記載のプロセス。
【請求項２９】
前記第１の動作区域が容器蓋の中心部分を表わすかもしくは含み、ならびに／または、前記第２の動作区域が容器の底の中心部分を表わすかもしくは含むことが規定される、請求項２７または２８に記載のプロセス。
【請求項３０】
前記第１の撓みが前記第１の撓み範囲にわたって、特に前記第１の最大撓みにまで延在し、および／または、前記第２の撓みが前記第２の撓み範囲にわたって、特に前記第２の最大撓みにまで延在することが規定される、請求項２７から２９のいずれかに記載のプロセス。
【請求項３１】
前記第１の動作区域が、１つ、いくつかもしくはすべての板状製品の弱化溝が互いに交差している区域と少なくとも部分的な重なりを有し、および／または、前記第２の動作区域が、１つ、いくつかもしくはすべての板状製品の弱化溝が互いに交差している区域と少なくとも部分的な重なりを有することが規定される、請求項２７から３０のいずれかに記載のプロセス。
【請求項３２】
弱化溝が互いに交差している区域が、板状製品の基本形状の中心と少なくとも部分的な重なりを有することが規定される、請求項３１に記載のプロセス。
【請求項３３】
容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離が、特に１枚の板状製品もしくは板状製品の積重ねが前記容器底もしくは前記第３の保護層の上に載っている場合に、前記第１の撓み範囲もしくは前記第１の最大撓みよりも小さいことが規定され；ならびに／または、
容器底、特に容器の閉位置での前記第２の動作区域と１枚の板状製品の底面との間の距離、もしくは、容器底、特に容器の閉位置での前記第２の動作区域と前記積重ねの最下層の板状製品の底面との間の距離、もしくは、容器底、特に容器の閉位置での前記第２の動作区域と前記第３の保護層との間の距離が、特に１枚の板状製品もしくは板状製品の積重ねが前記容器蓋もしくは前記第２の保護層の上に載っている場合に、前記第２の撓み範囲もしくは前記第２の最大撓みよりも小さいことが規定され；または、
容器底、特に容器の閉位置での前記第２の動作区域と１枚の板状製品の底面との間の距離、もしくは、容器底、特に容器の閉位置での前記第２の動作区域と前記積重ねの最下層の板状製品の底面との間の距離、もしくは、容器底、特に容器の閉位置での前記第２の動作区域と前記第３の保護層との間の距離と、容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離との合計は、前記第１および第２の撓み範囲の合計、または前記第１および第２の最大撓みの合計よりも小さいことが規定される、請求項２７から３２のいずれかに記載のプロセス。
【請求項３４】
前記容器蓋、特に前記第１の動作区域を、前記容器の内部の方向に、特にその長手方向軸に沿って、前記第１の撓み範囲にわたって、特に前記第１の最大撓みにまで撓ませたとき、または、
前記容器底、特に前記第２の動作区域を、前記容器の内部の方向に、特にその長手方向軸に沿って、前記第２の撓み範囲にわたって、特に前記第２の最大撓みにまで撓ませたとき、または、
前記容器蓋、特に前記第１の動作区域を、前記容器の内部の方向に、特にその長手方向軸に沿って、前記第１の撓み範囲にわたって、特に前記第１の最大撓みにまで撓ませたとき、および、
前記容器底、特に前記第２の動作区域を、前記容器の内部の方向に、特にその長手方向軸に沿って、前記第２の撓み範囲にわたって、特に前記第２の最大撓みにまで撓ませたとき、
少なくとも１つの板状製品、特にすべての板状製品は、弱化溝のうち少なくとも１つ、特に本質的にすべてに沿って個片に分離されることが規定される、請求項２７から３３のいずれかに記載のプロセス。
【請求項３５】
弱化溝に沿って個片に分割可能な板状製品、特にチョコレートバーであって、
底面、上面およびリムを含み、
前記底面および／または前記上面は、リムにおけるかまたは前記リムに隣接する第１の位置から、前記リムにおけるかまたは前記リムに隣接する第２の位置にまで延在する少なくとも２つの弱化溝を含み、前記弱化溝が、特に一回だけ、および／または、板状製品の中心部分において互いに交差する、板状製品。
【請求項３６】
すべての弱化溝が互いに交差している交差区域が１つだけある、請求項３５に記載の板状製品。
【請求項３７】
弱化溝は、それらの断面形状に関して、平均で、板状製品の平均厚さの少なくとも３分の１だけ延在する、請求項３５または３６に記載の板状製品。
【請求項３８】
前記弱化溝は上部から底に向かって先細りの断面を有する、請求項３５から３７のいずれかに記載の板状製品。
【請求項３９】
前記交差溝が本質的に真っすぐにライニングされている、請求項３５から３８のいずれかに記載の板状製品。
【請求項４０】
前記板状製品の基本形状は円形または楕円形または多角形である、請求項３５から３９のいずれかに記載の板状製品。
【請求項４１】
前記弱化溝のフランクが傾斜され、平均で５°〜６０°の角度を形成する、請求項３５から４０のいずれかに記載の板状製品。
【請求項４２】
弱化溝の最大幅が、平均で、３ｍｍ〜９ｍｍの範囲、特に４ｍｍ〜８ｍｍの範囲、より好ましくは６ｍｍ〜７ｍｍの範囲であり、ならびに／または、弱化溝の深さが、平均で、２ｍｍ〜６ｍｍの範囲、特に２．５ｍｍ〜５ｍｍの範囲、より好ましくは３ｍｍ〜４ｍｍの範囲であり、ならびに／または、板状製品の厚さが、平均で、８ｍｍ〜２０ｍｍの範囲、特に８ｍｍ〜１４ｍｍの範囲、より好ましくは１０．５ｍｍ〜１２ｍｍの範囲であり、ならびに／または、円形の板状製品の直径が、５０ｍｍ〜１５０ｍｍの範囲、特に６０ｍｍ〜１２０ｍｍの範囲、より好ましくは７０ｍｍ〜１００ｍｍの範囲であり、弱化溝の深さが、平均で、板状製品の厚さの１０％〜６０％、特に２０％〜５０％、より好ましくは２５％〜４５％である、請求項３５から４１のいずれかに記載の板状製品。
【請求項４３】
弱化溝の交差区域の直径または長さは、前記弱化溝の幅よりも広い、請求項３５から４２のいずれかに記載の板状製品。
【請求項４４】
互いに交差する弱化溝によって形成される前記板状製品の少なくとも１つ、特にいくつかまたはすべての分離可能な個片は、リムに隣接する箇所よりも交差区域に隣接する箇所の方が厚さが薄い、請求項３５から４３のいずれかに記載の板状製品。
【請求項４５】
少なくとも１つの弱化溝、特にすべての弱化溝は、リムに隣接する箇所よりも交差区域に隣接する箇所の方が深さが浅い、請求項３５から４４のいずれかに記載の板状製品。
【請求項４６】
請求項３５から４５のいずれかに記載の少なくとも２つの板状製品を含む板状製品の積重ね。
【発明の詳細な説明】
【技術分野】
【０００１】
説明
本発明は、板状製品、特にチョコレートバーを収容し、弱化溝に沿って分割するための容器、板状製品、特にチョコレートバーを収容し、弱化溝に沿って分割するための容器の使用、板状製品、特にチョコレートバーを弱化溝に沿って分割するためのプロセス、ならびに、板状製品、特にチョコレートバーに言及する。
【背景技術】
【０００２】
チョコレートなどの菓子類は、食べる際に個片に割る必要のある板状製品の形で提供されることが多い。これらの製品は、多くの場合、たとえば長時間指先の間で掴んでいると、特に高温の場合には、被膜がかなり脂っこくなってしまうかまたはペースト状の粘度を呈することとなる。結果として、特に、このようなチョコレートバーを個片に割る必要がある場合、使用者の指が汚れてしまい、衣服または他の物にも汚れが付くのを避けるために指をきれいにする必要がある。予防策として、このような板状製品は、通常、たとえば、余分なプラスチックシートまたはアルミニウムシートに安全に包装されている。しかしながら、これにより、包装に必要な追加の材料とは別に、別の包装ステップも必要となってしまう。さらに、板状製品を割る場合、このような可撓性のあるプラスチックシートまたはアルミニウムフォイルにまだ包装されたままであれば、板状製品を個片に分割するときにかけらが生じ、これらのかけらが開封されたパッケージから落ちて、使用者の衣服および／または床を汚損するリスクがある。
【発明の概要】
【発明が解決しようとする課題】
【０００３】
したがって、本発明の目的は、使用者に汚れや染みを付けてしまうリスクなしに個片に分離することのできる板状製品を安全に保存および搬送するための手段を提供することである。
【課題を解決するための手段】
【０００４】
本発明の根本をなす問題は、１枚の板状製品、特にチョコレートバー、または複数の板状製品、特に複数のチョコレートバーを収容および分割するための充填済み容器、特にボックスによって解決された。上記１枚の板状製品は、少なくとも１つの弱化溝を含み、複数の板状製品は、その少なくとも１つが少なくとも１つの弱化溝を含む。上記複数の板状製品は積重ねて配置され、上記板状製品は、上記弱化溝に沿って別個の個片に分離されるよう適合される。上記容器は長手方向軸を有する。上記容器は、閉じられた第１の位置から開かれた第２の位置にまで移動させることができる。上記容器は、容器蓋と、上記容器蓋に接続されて第１のリムを有する第１の側壁とを備える上方部分と；容器底と、上記容器底に接続されて第２のリムを有する第２の側壁とを備える対応する下方部分と；上記容器の内部に、上面および反対側の底面を備え、特にその上面に、少なくとも１つの、特に真っすぐな弱化溝、特に複数の弱化溝を有する１枚の板状製品；または、特に、上記容器の内部に複数の板状製品と；を備える。複数の板状製品は各々、上面および反対側の底面を有し、積重ねて配置され、特にそれぞれの上面に、少なくとも１つの特に真っすぐな弱化溝、特に複数の弱化溝を備える。上記１枚の板状製品の上面は容器蓋の方に向けられる。上記１枚の板状製品の底面は容器底の方に向けられる。または、上記上方の板状製品の上面もしくは板状製品の積重ねのうちすべての板状製品の上面は、容器蓋の方に向けられる。上記積重ねのうち最下層の板状製品の底面もしくは上記積重ねのうちすべての板状製品の底面が容器底の方に向けられる。上記容器はさらに、任意には、上記積重ねのうち隣接する板状製品同士の間に少なくとも１つの第１の保護層、および／または、容器蓋と上記１枚の板状製品の上面との間もしくは容器蓋と上記積重ねの上方の板状製品の上面との間に少なくとも１つの第２の保護層、および／または、上記１枚の板状製品の底面と容器底との間もしくは上記積重ねにおける最下層の板状製品の底面と上記容器底との間に少なくとも１つの第３の保護層を備える。上記１枚の板状製品または上記複数の板状製品は、上記弱化溝に沿って個片に分離可能である。容器の上記上方部分は、特に形状、厚さおよび／または材料に関して、容器が少なくとも１つの第１の動作区域において閉位置にあるときに、その容器蓋を、特に上記容器の長手方向軸に沿って、上記容器の内部の方向に、第１の最大撓みを含む少なくとも第１の撓み範囲にまで、特に可逆的に押すことができるような態様で、配置および適合されている。ならびに／または、容器の上記下方部分は、特に形状、厚さおよび／または材料に関して、容器が少なくとも１つの第２の動作区域において閉位置にあるときに、その容器底を、特に上記容器の長手方向軸に沿って、上記容器の内部の方向に、第２の最大撓みを含む少なくとも第２の撓み範囲にまで、特に可逆的に押すことができるような態様で、配置および適合されている。容器蓋、特に容器の閉位置での上記第１の動作区域と１枚の板状製品の上面との間の距離、もしくは、容器蓋、特に容器の閉位置での上記第１の動作区域と上記積重ねの上記上方の板状製品の上面との間の距離、もしくは、容器蓋、特に容器の閉位置での上記第１の動作区域と上記第２の保護層との間の距離は、特に、１枚の板状製品または板状製品の積重ねが上記容器底もしくは上記第３の保護層の上に載っている場合、上記第１の撓み範囲もしくは上記第１の最大撓みよりも小さい。ならびに／または、容器底、特に容器の閉位置での上記第２の動作区域と１枚の板状製品の底面との間の距離、もしくは、容器底、特に容器の閉位置での上記第２の動作区域と上記積重ねのうち最下層の板状製品の底面との間の距離、もしくは、容器底、特に容器の閉位置での上記第２の動作区域と上記第３の保護層との間の距離は、特に、１枚の板状製品もしくは板状製品の積重ねが上記容器蓋もしくは上記第２の保護層の上に載っている場合には、上記第２の撓み範囲または上記第２の最大撓みよりも小さい。ならびに／または、容器底、特に容器の閉位置での上記第２の動作区域と１枚の板状製品の底面との間の距離、もしくは、容器底、特に容器の閉位置での上記第２の動作区域と上記積重ねのうち最下層の板状製品の底面との間の距離、もしくは、容器底、特に容器の閉位置での上記第２の動作区域と上記第３の保護層との間の距離と、容器蓋、特に容器の閉位置での上記第１の動作区域と１枚の板状製品の上面との間の距離、もしくは、容器蓋、特に容器の閉位置での上記第１の動作区域と上記積重ねのうち上記上方の板状製品の上面との間の距離、もしくは、容器蓋、特に容器の閉位置での上記第１の動作区域と上記第２の保護層との間の距離との合計は、上記第１および第２の撓み範囲の合計、もしくは上記第１および第２の最大撓みの合計よりも小さい。このため、上記容器蓋、特に上記第１の動作区域を、上記容器の内部の方向に、特にその長手方向軸に沿って撓ませたとき、および／または、上記容器底、特に上記第２の動作区域を、上記容器の内部の方向に、特にその長手方向軸に沿って撓ませたとき、少なくとも１つの板状製品、特にすべての板状製品は、弱化溝のうち少なくとも１つ、特に本質的にすべてに沿って個片に分離可能であるかまたは分離されることとなる。
【０００５】
本発明の容器は、たとえば、１枚の板状製品または積重ねて配置された複数の板状製品を含むいわゆる「ｃｌｉｃ−ｃｌａｃ」型ボックスであり得る。
【０００６】
本発明の一実施形態においては、上記容器の上方部分、特に上記容器蓋および／または上記容器の下方部分、特に上記容器底は、プラスチックおよび／もしくは金属、特にプラスチックシートおよび／もしくは金属シートを含むか、またはプラスチックおよび／もしくは金属、特にプラスチックシートおよび／もしくは金属シートでできている。プラスチックシートまたは金属シートは、通常、一定の弾力性を有しており、このため、上記シートに対して力を加えると撓ませることができる。
【０００７】
上記１枚の板状製品、またはたとえば、２枚または３枚以上の板状製品を積重ねて配置された上記複数の板状製品は、一実施形態においては、チョコレートバーなどの食用の板状製品を表わす。板状製品は、本発明の意味では、たとえば、澱粉、ラード、発火用物質、たとえば発火用炭、菓子類または石鹸などでできたものも含み得る。
【０００８】
本発明の有用な実施形態においては、少なくとも２つの板状製品、特にすべての板状製品は、長さおよび／または幅および／または直径および／または厚さの点で本質的に同じである。
【０００９】
板状製品の積重ねは、通常、すべての板状製品が同じサイズおよび形状を有する場合に長くなりすぎないように、すべての板状製品が上下にぴったりと重なり合って配置されるような態様で、構成される。
【００１０】
本発明の別の有用な実施形態は、また、少なくとも２つの板状製品、特にすべての板状製品が、構成の断面形状および／または長さおよび／またはパターンに関して本質的に同一の弱化溝を呈することを規定する。弱化溝は、本発明の一実施形態においては、板状製品の上面に埋込まれている。この態様では、板状製品を積重ねると、弱化溝が規則的に互いに面することはない。
【００１１】
本発明を実施する実行可能なモードでは、板状製品は本質的に多角形、たとえば長方形もしくは正方形の基本形状、または円形もしくは楕円形の基本形状を呈する。
【００１２】
本発明のこれらの容器は、少なくとも２つの弱化溝、特にすべての弱化溝が、特に板状製品の基本形状の中心において少なくとも１つの交差区域を有する点で、または、すべての弱化溝が、基本形状の１つの交差区域、特に中心の交差区域、において互いに交差する点で、好ましい。
【００１３】
本発明の容器の別の有用な実施形態では、上記第１の側壁および／もしくは上記第１のリムが第１の保持手段を含むかもしくは表わすこと、ならびに／または、上記第２の側壁および／もしくは上記第２のリムが第２の保持手段を含むかもしくは表わすことが規定される。
【００１４】
本発明のこれらの容器は、以下の点で有利であることが判明した。すなわち、容器の上方部分は、上記第１の位置で容器を閉じ、上記第２の位置で上記容器をブロック解除し、上記第１の位置においては、上記第１の側壁および／もしくは上記第１のリムおよび／もしくは上記第１の保持手段が、容器の上記下方部分とで、特に上記第２の側壁および／もしくは上記第２のリムおよび／もしくは上記第２の保持手段とで、形状拘束を呈し、容器の上記上方部分は、上記容器の内部の方向への、特にその長手方向軸に沿った特に上記第１の動作区域の第１の撓み時に、上記第１の位置から上記第２の位置に移動させることができ、これにより、上記形状拘束が特に可逆的に解放され、ならびに／または、容器の下方部分は、第１の位置で上記容器を閉じ、上記第２の位置で上記容器をブロック解除し、上記第１の位置において、上記第２の側壁および／もしくは上記第２のリムおよび／もしくは上記第２の保持手段は、容器の上記上方部分とで、特にその第１の側壁および／もしくは第１のリムおよび／もしくは上記第１の保持手段とで形状拘束を呈し、容器の上記下方部分は、上記容器の内部の方向への、特にその長手方向軸に沿った特に上記第２の動作区域の第２の撓み時に、上記第１の位置から上記第２の位置へと移動させることができ、このため、形状拘束が特に可逆的に解放されることとなる。
【００１５】
本発明の容器のこの実施形態はまた、通常、いわゆるｃｌｉｃ−ｃｌａｃ型ボックスの一例としても公知である。しかしながら、このｃｌｉｃ−ｃｌａｃ型ボックスはさまざまな設計を有し得る。しかしながら、ｃｌｉｃ−ｃｌａｃ型ボックスの上記特徴を有する本発明の容器が好ましくは適している。
【００１６】
本発明の別の実施形態に従って提供される容器においては、上記第１の動作区域は、容器蓋の中心部分を表わすかもしくは含み、ならびに／または、上記第２の動作区域は容器の底の中心部分を表わすかもしくは含む。
【００１７】
本発明の容器の特に実用的な実施形態に従うと、上記第１の撓みが、少なくとも上記第１の撓み範囲にわたって延在する、すなわち、少なくとも上記第１の撓み範囲内に位置し、ならびに／または、上記第２の撓みが、少なくとも上記第２の撓み範囲にわたって延在する、すなわち、上記第２の撓み範囲内に位置することが規定される。上記第１の撓みが上記第１の撓み範囲を越えて延在すること、および／または、上記第２の撓みが上記第２の撓み範囲を越えて延在することは、実現可能ではあるものの、必ずしも必要ではない。上記第１の撓みまたは第２の撓みが、それぞれ上記第１の撓み範囲内および第２の撓み範囲内に位置する限り、板状製品が上記弱化ラインに沿って個片に分離可能であることが保証される。このため、この点に関して、上記容器蓋、特に上記第１の動作区域を上記容器の内部の方向に、特にその長手方向軸に沿って、上記第１の撓み範囲にわたって、特に上記第１の最大撓みにまで撓ませたとき；または、上記容器底、特に上記第２の動作区域を上記容器の内部の方向に、特にその長手方向軸に沿って、上記第２の撓み範囲にわたって、特に上記第２の最大撓みにまで撓ませたとき；または、上記容器蓋、特に上記第１の動作区域を上記容器の内部の方向に、特にその長手方向軸に沿って、上記第１の撓み範囲にわたって、特に上記第１の最大撓みにまで撓ませたとき；ならびに、上記容器底、特に上記第２の動作区域を上記容器の内部の方向に、特にその長手方向軸に沿って、上記第２の撓み範囲にわたって、特に上記第２の最大撓みにまで撓ませたとき、少なくとも１つの板状製品、特にすべての板状製品が、弱化溝のうち少なくとも１つ、特に本質的にすべてに沿って、個片に分離可能であるかまたは分離されることも好ましい。
【００１８】
さらに、本発明の非常に有用な実施形態においては、上記第１の動作区域は、１つ、いくつかもしくはすべての板状製品の弱化溝が互いに交差している区域と少なくとも部分的な重なりを有し、および／または、上記第２の動作区域は、１つ、いくつかもしくはすべての板状製品の弱化溝が互いに交差している区域と少なくとも部分的な重なりを有している。
【００１９】
板状製品の分割、特にチョコレートバー、の分割は、弱化溝が互いに交差している区域が板状製品の基本形状の中心と少なくとも部分的な重なり有していることに注意を払えば、本発明の容器で好都合に達成することができる。
【００２０】
このことは、特に基本形状の中心区域に位置する場合に積重ねにおける隣接する板状製品、特にすべての板状製品、の弱化溝の交差する区域が本質的に部分的に重なった態様で配置されている本発明の容器にも適用される。
【００２１】
本発明のこれらの容器は、積重ねにおける隣接する板状製品、特にすべての板状製品、の少なくとも１つの弱化溝、特にすべての弱化溝が本質的に部分的に重なった態様で配置される点で、特に信頼性のある結果を提供することが判明した。
【００２２】
本発明の有用な実施形態においては、上記容器の基本形状と、板状製品、特に板状製品の上記積重ね、の基本形状が、本質的に同一であることが規定される。
【００２３】
この点に関して、上記板状製品の基本形状の大きさ、特に板状製品の積重ねの大きさが、特に、容器の基本形状の大きさよりもわずかに小さければ、また、有利である。
【００２４】
一実施形態においては、本発明の容器に保持された板状製品の弱化溝は、真っすぐにライニングされており、好ましくは板状製品の基本形状の中心において一回だけ互いに交差しており、これにより、上記板状製品が個片に分離可能となり、板状製品の基本形状に応じて、三角形のような基本形状または円弧の形状を呈することとなる。
【００２５】
隣接する板状製品同士の間、ならびに／または、上方の板状製品の蓋および／もしくは底と積重ねにおける最下層の板状製品との間に保護層を含むことが実用的であることも判明した。この点に関して、第１の保護層および／もしくは第３の保護層、特に第１の保護層および第３の保護層が１枚の紙を表わすかもしくは含むこと、ならびに／または、上記第２の保護層および／もしくは上記第３の保護層、特に上記第２保護層だけが、詰物層または緩衝材層、特に紙が詰込まれた層を表わすかもしくは含むことが好ましいことが判明した。
【００２６】
特にｃｌｉｃ−ｃｌａｃ型ボックスの実施形態において、本発明の容器の別の変形例が特徴とする点として、上記第１の側壁に圧力を加えたとき、上記第１のリムおよび／もしくはその反対側にある上記第１の保持手段、上記第１の側壁および／もしくは上記第１のリムおよび／もしくは上記第１の保持手段によって、容器の下方部分とで、特にその第２の側壁および／もしくはその第２のリムおよび／もしくはその第２の保持手段とで形状拘束が得られ、これにより、容器が、開かれた第２の位置から閉じられた第１の位置へと移される。
【００２７】
容器と板状製品との間の相互作用を向上させるために、容器の基本形状の大きさおよび１枚の板状製品または板状製品の積重ねの基本形状の大きさにより隙間が設けられ、これにより、特に容器蓋の上方部分および／または特に容器底の下方部分を撓ませたときに、それらの弱化溝に沿って分割させた個片を側方に移動させることが可能となることが有利であることが判明した。
【００２８】
さらに、本発明に従った好適な容器は、上記弱化溝のフランクが傾斜され、平均で５°〜６０°の範囲、特に２５°〜４５°の範囲、より特定的には３０°〜４０°の範囲の角度を形成しており、ならびに／または、弱化溝の最大幅が平均で３ミリメートル（ｍｍ）〜９ｍｍの範囲、特に４ｍｍ〜８ｍｍの範囲、より好ましくは６ｍｍ〜７ｍｍの範囲であり、ならびに／または、弱化溝の深さが平均で２ｍｍ〜６ｍｍの範囲、特に２．５ｍｍ〜５ｍｍの範囲、より好ましくは３ｍｍ〜４ｍｍの範囲であり、ならびに／または、板状製品の厚さが平均で８ｍｍ〜２０ｍｍの範囲、特に８ｍｍ〜１４ｍｍの範囲、より好ましくは１０．５〜１２ｍｍの範囲であり、ならびに／または、円形の板状製品の直径が５０ｍｍ〜１５０ｍｍの範囲、特に６０ｍｍ〜１２０ｍｍの範囲、より好ましくは７０ｍｍ〜１００ｍｍの範囲であることを特徴とする。
【００２９】
本発明に従った充填済み容器の好ましい実施形態においては、弱化溝の深さは、平均で、板状製品の厚さの１０％〜６０％、特に２０％〜５０％、より好ましくは２５％〜４５％である。
【００３０】
さらに、本発明の根本をなす目的はまた、板状製品、特にチョコレートバー、を上記板状製品における弱化溝に沿って個片に分割するためのプロセスによっても解決された。当該プロセスは、
本発明に従った容器またはｃｌｉｃ−ｃｌａｃ型ボックスを設けるステップと、
少なくとも１つの弱化溝、特に少なくとも２つの弱化溝を含む１枚の板状製品、特にチョコレートバー、または、少なくとも１つが少なくとも１つの弱化溝、特に少なくとも２つの弱化溝を含む複数の板状製品、特に複数のチョコレートバー、を配置するステップとを含み、上記複数の板状製品は上記容器またはボックスにおいて積重ねて配置される。上記プロセスはさらに、
特に第１の動作区域における上記容器もしくはボックスの上方部分、特に蓋、ならびに／または、特に上記第２の動作区域における上記容器もしくはボックスの下方部分、特に容器底を、容器もしくはボックスの上記上方部分、特に容器蓋が特にその長手方向軸に沿って上記容器の内部の方向に撓まされるような態様で、ならびに／または、上記容器もしくはボックスの下方部分、特に上記容器もしくはボックスの容器底がその長手方向軸に沿って上記容器もしくはボックスの内部の方向に撓まされるような態様で、撓ませることにより、板状製品を上記弱化溝に沿って個片に分割するステップを含む。
【００３１】
本発明のプロセスの好ましい実施形態においては、容器蓋、特に容器の閉位置での上記第１の動作区域と１枚の板状製品の上面との間の距離、もしくは、容器蓋、特に容器の閉位置での上記第１の動作区域と上記積重ねの上記上方の板状製品の上面との間の距離、もしくは、容器蓋、特に容器の閉位置での上記第１の動作区域と上記第２の保護層との間の距離が、特に１枚の板状製品もしくは板状製品の積重ねが上記容器底もしくは上記第３の保護層の上に載っている場合に、上記第１の撓み範囲もしくは上記第１の最大撓みよりも小さいことが規定され；ならびに／または、容器底、特に容器の閉位置での上記第２の動作区域と１枚の板状製品の底面との間の距離、もしくは、容器底、特に容器の閉位置での上記第２の動作区域と上記積重ねの最下層の板状製品の底面との間の距離、もしくは、容器底、特に容器の閉位置での上記第２の動作区域と上記第３の保護層との間の距離が、特に１枚の板状製品もしくは板状製品の積重ねが上記容器蓋もしくは上記第２の保護層の上に載っている場合に、上記第２の撓み範囲もしくは上記第２の最大撓みよりも小さいことが規定され；または、容器底、特に容器の閉位置での上記第２の動作区域と１枚の板状製品の底面との間の距離、もしくは、容器底、特に容器の閉位置での上記第２の動作区域と上記積重ねの最下層の板状製品の底面との間の距離、もしくは、容器底、特に容器の閉位置での上記第２の動作区域と上記第３の保護層との間の距離と、容器蓋、特に容器の閉位置での上記第１の動作区域と１枚の板状製品の上面との間の距離、もしくは、容器蓋、特に容器の閉位置での上記第１の動作区域と上記積重ねの上記上方の板状製品の上面との間の距離、もしくは、容器蓋、特に容器の閉位置での上記第１の動作区域と上記第２の保護層との間の距離との合計は、上記第１および第２の撓み範囲の合計、または上記第１および第２の最大撓みの合計よりも小さいことが規定される。
【００３２】
この点に関して、上記容器蓋、特に上記第１の動作区域を、上記容器の内部の方向に、特にその長手方向軸に沿って、上記第１の撓み範囲にわたって、特に上記第１の最大撓みにまで撓ませたとき、または、上記容器底、特に上記第２の動作区域を、上記容器の内部の方向に、特にその長手方向軸に沿って、上記第２の撓み範囲にわたって、特に上記第２の最大撓みにまで撓ませたとき、または、上記容器蓋、特に上記第１の動作区域を、上記容器の内部の方向に、特にその長手方向軸に沿って、上記第１の撓み範囲にわたって、特に上記第１の最大撓みにまで撓ませたとき、および、上記容器底、特に上記第２の動作区域を、上記容器の内部の方向に、特にその長手方向軸に沿って、上記第２の撓み範囲にわたって、特に上記第２の最大撓みにまで撓ませたとき、少なくとも１つの板状製品、特にすべての板状製品は、弱化溝のうち少なくとも１つ、特に本質的にすべてに沿って個片に分離されることが規定されることも好ましい。
【００３３】
さらに、本発明の根本をなす問題はまた、弱化溝に沿って個片に分割され得る板状製品、特にチョコレートバー、によっても解決された。板状製品は、底面、上面およびリムを含む。上記底面および／または上記上面は、リムの第１の位置から上記リムの第２の位置にまで延在する少なくとも２つの弱化溝を含む。上記弱化溝は、特に一回だけ、および／または、板状製品の中心部分において、互いに交差する。
【００３４】
すべての弱化溝が互いに交差している交差区域を１つだけ含むこのような板状製品が好ましい。
【００３５】
上記板状製品は、特に、弱化溝がそれぞれの断面形状に対して平均で板状製品の少なくとも３分の１の平均厚さにわたって延在する場合に非常に確実な態様で、個片へと確実に分割される。概して、弱化溝の深さが、平均で、板状製品の厚さの１０％〜６０％、特に２０％〜５０％、より好ましくは２５％〜４５％であれば好ましい。
【００３６】
非常に実用的な実施形態においては、上記弱化溝は上部から底に向かって先細りの断面を有する。さらに、上記交差溝が本質的に真っすぐにライニングされている点で、かなり有用な実施形態であることが判明した。概して、本発明の板状製品は如何なる基本形状をも有し得る。しかしながら、本発明に従った板状製品の特に有用な実施形態においては、上記板状製品の基本形状は円形、楕円形または多角形である。
【００３７】
一実施形態における本発明に従った板状製品が、上記弱化溝のフランクが傾斜され、平均で５°〜６０°の角度を形成することを特徴とすることも判明した。
【００３８】
さらに、本発明に従った板状製品は、弱化溝の最大幅が、平均で、３ｍｍ〜９ｍｍの範囲、特に４ｍｍ〜８ｍｍの範囲、より好ましくは６ｍｍ〜７ｍｍの範囲であり、ならびに／または、弱化溝の深さが、平均で、２ｍｍ〜６ｍｍの範囲、特に２．５ｍｍ〜５ｍｍの範囲、より好ましくは３ｍｍ〜４ｍｍの範囲であり、ならびに／または、板状製品の厚さが、平均で、８ｍｍ〜２０ｍｍの範囲、特に８ｍｍ〜１４ｍｍの範囲、より好ましくは１０．５ｍｍ〜１２ｍｍの範囲であり、ならびに／または、円形の板状製品の直径が、５０ｍｍ〜１５０ｍｍの範囲、特に６０ｍｍ〜１２０ｍｍの範囲、より好ましくは７０ｍｍ〜１００ｍｍの範囲であることを特徴とし得る。
【００３９】
特に、弱化溝の交差区域が上記弱化溝の幅よりも広くなっている本発明に従ったそれらの板状製品で結果が得られた。
【００４０】
一実施形態においては、本発明に従ったそれらの板状製品も、互いに交差する弱化溝によって形成された上記板状製品の少なくとも１つ、特にいくつかまたはすべての分離可能な個片が、リムに隣接する箇所よりも交差区域に隣接する箇所の方が厚さが薄い点で、好ましい。
【００４１】
分割はまた、少なくとも１つの交差溝、特にすべての交差溝が、リムに隣接する箇所よりも交差区域に隣接する箇所の方が深さがより浅くなっている本発明に従ったそれらの板状製品で、非常に確実な態様で達成される。
【００４２】
本発明の根本をなす問題はまた、上に概略された本発明に従った少なくとも２つの板状製品を含む板状製品の積重ねによっても解決された。
【００４３】
本発明の容器の長手方向軸は、本発明の意味では、容器の上方部分、特に蓋の上方部分の中心から容器の下方部分、特に容器底の下方部分の中心にまで延在する上記軸を表わすものと理解され得る。
【００４４】
本発明の充填済み容器は、先行技術のパッケージに勝るさまざまな利点を提供する。これは、チョコレートバーなどの分離可能な板状製品を安全に保管して搬送する役割を果たすだけではなく、使用者が、容器を開封することなく、板状製品を食べる際に自動的に適切な大きさの個片へと確実に分離させることを可能にする。本発明によれば、無駄なかけらが生じるのを減らすかまたは防止することができる。さらに、このようなかけらが上記板状製品の分割時に形成される場合、これらのかけらが容器の下方部分に安全に保持されるので、上記容器を開封したときでも人の衣服にしみまたは汚れを付けるリスクが無くなる。
【００４５】
驚くべきことに、チョコレートバーなどの複数の板状製品が、積重ねて配置されている場合に、本発明の容器を用いることによって完全に別個の個片にすることができることも判明した。板状製品を個片に分割するためにこれらの板状製品に指で触る必要は全くない。さらに、容器を開封することによって、すなわち、蓋を取外すことによって、審美的に美しい態様で食せるよう個片を提供するための手段が提供される。すなわち、個片は恣意的には配置されず、容器内に適切に配置される。本発明は、小さい個片を準備し、かなり面倒なやり方でこれらの個片をそれぞれの容器に詰込む必要がないという点で、追加の利点を提供する。代わりに、自動的なプロセスを用いることによって、積重ねた形状であっても上記容器に装填することのできる板状製品を準備することができる。さらに、本発明によれば、チョコレートバーなどの板状製品の製造および包装を簡潔にするために、製造および包装時における個片の処理を回避し、置換えることができる。
【００４６】
本発明は、たとえば、添付の図面に関連付けて以下の実施形態における以下の記載を参照することによって、さらなる目的および利点とともに、最もよく理解され得る。
【図面の簡単な説明】
【００４７】
【図１】本発明に従った１枚のチョコレートバーを示す斜視図である。
【図２】図１に従ったチョコレートバーを概略的に示す概略平面図である。
【図３】図１および図２に従ったチョコレートバーの概略的な側面図である。
【図４】図１および図２に従ったチョコレートバーの別の概略的な側面図である。
【図５】本発明の容器の斜視図である。
【図６】本発明の開封された容器の斜視図である。
【図７】本発明の容器の容器蓋を押すプロセスステップを示す図である。
【図８】未分割のチョコレートバーを含む本発明の開封済み容器を示す図である。
【図９】本発明に従ったプロセスによって個片に分離されたチョコレートバーを含む本発明の開封済み容器を示す図である。
【発明を実施するための形態】
【００４８】
図１においては、本発明に従ったチョコレートバー２が示される。チョコレートバー２は円形の基本形状を有する。チョコレートバー２は、互いに交差する、合計で４つの真直ぐな弱化溝４と、チョコレートバー２の基本形状の中心８と部分的に重なっている単一の交差区域６とを含む。弱化溝４は、チョコレートバー２のリム１０の一方側からチョコレートバーの反対側のリム部分にまで延在する。上記交差する弱化溝４は、本発明のプロセスに従って個片に分離することができる円１２の部分を形成している。図１に示されるチョコレートバー２では、上記弱化溝４は、本質的にＶ字形の断面を有する。
【００４９】
図２は、図１に従ったチョコレートバーの概略的な平面図を示す。弱化溝４は、チョコレートバー２の円形基本形状の直径の長さを有する。
【００５０】
図３においては、図１および図２に従ったチョコレートバーの概略的な側面図が示される。弱化溝４は、チョコレートバー２の上面１４に最大幅を有し、トラフ１６に隣接する最少幅を有する。円周リム１０は、下面１８から上面１４まで中心８に向かってわずかに傾斜させることができる。チョコレートバー２の厚さは、上面１４と下面１８との間の範囲として決定される。
【００５１】
図４は図３と本質的に同一である。図４から、弱化溝４のフランク２０および２２がわずかに外側に向かって先細にされており、このため、角度を形成することが推論され得る。
【００５２】
図５は、上方部分２６および下方部分２８を含む閉位置での本発明の容器２４を示す。上方部分２６は容器蓋３０とリムまたは側壁３２とを含む。図５はまた、容器蓋３０の中心にある第１の動作区域３４を示す。破線を用いて長手方向軸Ａを示している。
【００５３】
図６においては、本発明の容器２４は、弱化溝４を備えたチョコレートバーの形状をした板状製品２と共に示される。加えて、上方のチョコレートバー２の上には、第２の保護層３６が好ましくは紙詰込み層の形で配置されている。さらに、両方のチョコレートバー２の間には、紙層の形状の第１の保護層３８が配置される。下方のチョコレートバー２と容器底４０との間には、第３の保護層４２が配置される。
【００５４】
図７から分かるように、本発明に従った容器２４の第１の動作区域３４に圧力を加えると、チョコレートバーが個片に分割される。同時に、容器の上方部分２６は、それ以上、容器の下方部分２８にロックされない。このため、上記容器は容易に開封することができ、その内容物を食用に提供することができる。破線を用いて長手方向軸Ａを示している。
【００５５】
図８は、本発明の容器２４をその上方部分２６がない状態で示す。すなわち、上方部分２６は、容器蓋を容器の内部に向かって押込むことなく取外されているので、容器の下方部分の内部に配置されたチョコレートバー２は、まだ、分割されていない状態である。圧力が容器蓋に加えられる場合、結果として図９に示されるような分離された個片４４が得られる。
【００５６】
当業者によって変形例および変更例が示唆され得るが、出願人の意図は、すべての変更例および変形例を、当該技術に対するその貢献の範囲内に合理的かつ確実に収まるように、ここで保障された特許の範囲内で具体化することである。新規であるとみなされる本発明の特徴は、添付の特許請求の範囲において詳細に記載されている。この説明において開示された特徴、図面および請求項は、本発明をそのさまざまな実施形態で実現するために、本質的に単独であってもよく、または如何に組み合わされてもよい。
【図１】
2015529177.tif 000003
【図２】
2015529177.tif 000004
【図３】
2015529177.tif 000005
【図４】
2015529177.tif 000006
【図５】
2015529177.tif 000007
【図６】
2015529177.tif 000008
【図７】
2015529177.tif 000009
【図８】
2015529177.tif 000010
【図９】
2015529177.tif 000011
【国際調査報告】
2015529177.tif 000012
2015529177.tif 000013
2015529177.tif 000014
2015529177.tif 000015
2015529177.tif 000016